(57)【要約】【課題】縦置きの際に姿勢を安定させることができるとともに音圧の向上が図れる投影装置を提供する。【解決手段】投影装置１０Ａは、筐体２１内に配置される投影部２４および音出力部２６を有する投影装置本体２０Ａと、筐体２１を載置する載置部４１を有する台座４０Ａとを有する。台座４０Ａは、載置部４１に設けられる一端側の開口４２Ａと載置部以外の外面４０２に設けられる他端側の開口４３とを有しており、一端側の開口４２Ａと他端側の開口４３は、第１の孔部４４Ａにより連通している。従って、投影装置本体２０Ａを台座４０Ａの載置部４１に載置した際には、音出力部２６からの音が第１の孔部４４Ａを通って台座４０Ａの外部に放音できる。これにより、縦置きの際には、投影装置１０Ａを台座４０Ａに載置することにより、姿勢を安定させることができるとともに、第１の孔部４４Ａを通って外部に放音するので、音圧の向上を図ることができる。【選択図】  図１
2016051934.tif 000002
【特許請求の範囲】
【請求項１】
投影部及び音出力部を有する投影装置本体と、
前記投影装置本体を載置する載置部を有し、前記載置部に形成された一端側の開口と前記載置部以外の外面に形成された他端側の開口とを連通する第１の孔部を含む台座と、
を備え、
前記投影装置本体を前記台座の前記載置部に載置した際、前記音出力部からの音が前記第１の孔部を通って前記台座の外部に放音できることを特徴とする投影装置。
【請求項２】
前記投影装置本体は縦置き及び横置きで使用可能であり、
前記台座の前記載置部は、前記投影装置本体を縦置きしたときに、前記投影装置本体を載置して使用するものであり、
前記音出力部は、前記投影部から投影される投影画像を視聴する視聴者と対向する位置に設けられていることを特徴とする請求項１に記載の投影装置。
【請求項３】
前記投影装置本体は筐体を有し、前記投影部は前記筐体内に配置されており、
前記投影装置本体を前記台座の前記載置部に載置した状態のときに、前記一端側の開口が前記音出力部と対応する位置にあり、前記第１の孔部は前記音出力部の前面側に位置することを特徴とする請求項１又は２に記載の投影装置。
【請求項４】
前記投影装置本体は筐体を有し、前記投影部は前記筐体内に配置されており、
前記筐体は、前記音出力部の背面側であって前記載置部に位置することになる外面に開口する第２の孔部を有し、
前記投影装置本体を前記台座の前記載置部に載置した状態のときに、前記第２の孔部の開口と前記一端側の開口とは、少なくとも一部が重なる位置にあり、前記音出力部からの音は、前記音出力部の背面側から前記第２の孔部、前記第１の孔部を通って放音されることを特徴とする請求項１又は２に記載の投影装置。
【発明の詳細な説明】
【技術分野】
【０００１】
本発明は、筐体内に音出力部を内蔵するとともに机等の載置面に載置して使用する投影装置に関する。
【背景技術】
【０００２】
従来、一般的に投影装置（プロジェクタ）には、スピーカー等の音出力部が内蔵されている。
例えば、特許文献１に記載の投影装置（投写型画像表示装置）では、音源である音出力部の位置が、映像が投影されるスクリーンの位置と異なることによる違和感を低減するために、筐体における投影方向側面に音出力部を設けている。そして、スクリーンに向かって指向性の強い音を発し、スクリーンからの反射音を聞くことにより、映像と音源との位置が同じに感じるようにしている。
【０００３】
また、特許文献２に記載の投影装置（電子機器）では、接続端子群に接続された接続ケーブル等により乱雑な状態となった筐体の背面側を覆い、接続端子を保護するとともに、筐体自体の外観を向上させるために設けられているカバーによって音出力部が覆われている。このため、カバーに、音出力部から出力される音に音響効果処理を施す音響効果部（フロントロードホーン）を設けて、音出力部から出力される音の音圧の低下や音質の劣化を防止している。
【０００４】
また、特許文献３に記載の投影装置（投写型映像表示装置）は、卓上などの載置面に縦置きして卓上に影像を投影できるとともに、横置きして壁やスクリーンに向けて影像を投影できる。この投影装置は、自装置の設置状態を検出する設置面検出手段を有しており、設置状態に応じて制御手段が映像光の向きを制御する。
【先行技術文献】
【特許文献】
【０００５】
【特許文献１】特開２００７−１９９３２２号公報
【特許文献２】特開２００９−１５７１４９号公報
【特許文献３】特開２０１１−１５８５２２号公報
【発明の概要】
【発明が解決しようとする課題】
【０００６】
しかしながら、前述した従来の投影装置においては、実装スペースや音が確認できればよいといった目的のため、多くは、小型小電力の音出力部が使用されている。また、数百ルーメンといった小型投影装置においては、特に小型の音出力部が用いられ、音圧が低い、低音が弱いなどの音質の問題があった。
また、縦置きで使用することができる特許文献３に記載の投影装置においては、縦置き時に姿勢が不安定になりやすいという問題があった。
【０００７】
本発明は、従来の問題を解決するためになされたもので、投影装置などの投影装置において、縦置きの際に姿勢を安定させることができるとともに音圧の向上が図れる投影装置を提供することを目的とする。
【課題を解決するための手段】
【０００８】
本願発明に係る投影装置は、投影部及び音出力部を有する投影装置本体と、
前記投影装置本体を載置する載置部を有し、前記載置部に形成された一端側の開口と前記載置部以外の外面に形成された他端側の開口とを連通する第１の孔部を含む台座と、
を備え、
前記投影装置本体を前記台座の前記載置部に載置した際、前記音出力部からの音が前記第１の孔部を通って前記台座の外部に放音できる。
【発明の効果】
【０００９】
本発明は、投影装置本体を台座の載置部に載置した際には、音出力部からの音が台座に設けられている第１の孔部を通って外部に放音される。これにより、縦置きの際には、投影装置を台座に載置することにより、姿勢を安定させることができるとともに、音圧の向上を図ることができるという効果を有する投影装置を提供できる。
【図面の簡単な説明】
【００１０】
【図１】本発明に係る第１実施形態の投影装置を構成する投影装置本体と台座を示す分解斜視図である。
【図２】図１中ＩＩ−ＩＩ位置における台座の断面図である。
【図３】載置部に投影装置本体を嵌めた状態の図２相当の断面図である。
【図４】本発明に係る第１実施形態の投影装置の縦置き使用状態を示す斜視図である。
【図５】本発明に係る第１実施形態の投影装置の横置き使用状態を示す斜視図である。
【図６】本発明に係る第２実施形態の投影装置の縦置き使用状態を示す要部断面図である。
【図７】本発明に係る第３実施形態の投影装置を構成する投影装置本体と台座を示す分解斜視図である。
【図８】載置部に投影装置本体を嵌めた状態の要部断面図である。
【図９】本発明に係る第３実施形態の投影装置の横置き使用状態を示す斜視図である。
【発明を実施するための形態】
【００１１】
（第１実施形態）
以下、本発明に係る第１実施形態の投影装置について、図面を用いて説明する。
図１に示すように、本発明に係る実施形態の投影装置１０Ａは、映像を投影するとともに音を発する投影装置本体２０Ａと、投影装置本体２０Ａを縦置きで使用する際に用いることができる台座４０Ａと、を有する。
なお、以下の説明においては、図１に示すように投影装置本体２０Ａを立てて使用する状態（縦使用時）を基準として、投影側を「前」とし、投影側と反対側を「後」とする。また、投影方向に向かって左側を「左」とし、右側を「右」と表示する。
【００１２】
投影装置本体２０Ａは、例えば矩形箱状の筐体２１を有する。筐体２１の前面２１１における上部には、矩形状の凹部２２が設けられている。凹部２２の底面２２１には投影レンズ２３が設けられており、投影レンズ２３の下方の筐体２１内部には、投影部２４が収容されている。凹部２２の前面は開放可能となっており、凹部２２の上端には、凹面の反射面を有する反射部材２５が設けられている。
なお、凹部２２の前面を覆う蓋部材を開閉可能に設けるとともに、蓋部材の内面に反射部材２５を取り付け、投影装置本体２０Ａの使用時には蓋部材を開けて開状態を維持し、投影装置本体２０Ａを使用しないときは蓋部材を閉じるようにすることもできる。
【００１３】
筐体２１の内部における下端部には、スピーカー等の音出力部２６が設けられており、筐体２１の前面２１１には音出力部２６の前方に対応して、例えば格子状の開口部２６１が設けられている（図３参照）。
図２に示すように、台座４０Ａは矩形箱状を呈しており、上面４０１には投影装置本体２０Ａの下端部を嵌めて載置する矩形状の凹部である載置部４１が設けられている。載置部４１は上方に開口しており（開口部４１２）、開口部４１２の大きさおよび形状は、投影装置本体２０Ａの筐体２１の断面形状に対応している。
載置部４１の前面４１１には、一端側の開口４２Ａが設けられている。一端側の開口４２Ａは、投影装置本体２０Ａを載置部４１に嵌めた際に、音出力部２６の前方に位置するように配置されている（図３参照）。
【００１４】
また、載置部４１以外の外面である台座４０Ａの前面４０２には、他端側の開口４３が設けられている。一端側の開口４２Ａと他端側の開口４３とは、第１の孔部４４Ａにより連通されている。第１の孔部４４Ａは、一端側の開口４２Ａの断面積が小さく、他端側の開口４３側に向かうにつれて、断面積が大きくなっており、いわゆるホーン形状となっている（ホーン部）。
ここでは、一端側の開口４２Ａおよび他端側の開口４３の断面形状は矩形となっているが、断面形状は、これに限定するものではない。例えば、一端側の開口４２Ａを、音出力部２６の形状に対応した円形とすることも可能である。
【００１５】
図４には、投影装置１０Ａの縦置き使用時の状態が示されている。
台座４０Ａは、机面１１等の載置面に載置されており、載置部４１が上方に開口（開口部４１２）している。
投影装置本体２０Ａの下端部を、台座４０Ａの開口部４１２に挿入して、投影装置本体２０Ａを載置部４１に嵌める。これにより、図３に示すように、音出力部２６が台座４０Ａの載置部４１の一端側の開口４２Ａに位置する。
【００１６】
投影部２４から映像を反射部材２５に投影すると、反射部材２５で下方へ反射して、机面１１をスクリーン１２として画像を投影することができる。このとき、音出力部２６から発せられた音は、一端側の開口４２Ａから第１の孔部４４Ａを通って他端側の開口４３を経て前方へ放出される。
【００１７】
なお、投影装置本体２０Ａは、図５に示すように、机面１１上に横置きして使用することも可能である。この場合には、投影部２４から映像を反射部材２５に投影すると、反射部材２５で机面１１と略平行な方向に反射して、壁面１３等に設けられているスクリーン１２に画像を投影することができる。
この場合、台座４０Ａを用いない。このため、音出力部２６から発せられた音は、筐体２１におけるスクリーン１２に近い端部から、スクリーン１２側（上方）に向かって発せられる。
【００１８】
次に、第１実施形態の投影装置１０Ａの作用効果について説明する。
投影装置１０Ａは、筐体２１内に配置される投影部２４および音出力部２６を有する投影装置本体２０Ａと、筐体２１を載置する載置部４１を有する台座４０Ａと、を有する。台座４０Ａは、載置部４１に設けられる一端側の開口４２Ａと載置部４１以外の外面である前面４０２に設けられる他端側の開口４３とを有しており、一端側の開口４２Ａと他端側の開口４３は、第１の孔部４４Ａにより連通している。
【００１９】
従って、投影装置本体２０Ａを台座４０Ａの載置部４１に載置した際には、音出力部２６からの音が、第１の孔部４４Ａを通って台座４０Ａの外部に放音される。
これにより、縦置きの際には、投影装置本体２０Ａを台座４０Ａに載置することにより、姿勢を安定させることができるとともに、音出力部２６が発する音が、ホーン形状の第１の孔部４４Ａを通って外部に放音されるので、音圧の向上を図ることができる。
【００２０】
また、投影装置本体２０Ａを台座４０Ａの載置部４１に載置した状態のときに、一端側の開口４２Ａが音出力部２６に対応する位置にあるので、音出力部２６から発せられた音は、何らかの部材に邪魔されることなく、直接、一端側の開口４２Ａに入射し、第１の孔部４４Ａを通って台座４０Ａの外部に放音されるので、音量が低下することもない。
【００２１】
（第２実施形態）
次に、本発明に係る第２実施形態の投影装置１０Ｂを説明する。なお、前述した第１実施形態の投影装置１０Ａと共通する部位には同じ符号を付して、重複する説明を省略することとする。
図６に示すように、第２実施形態の投影装置１０Ｂの投影装置本体２０Ｂでは、筐体２１内部に、音出力部２６の後方を囲うように隔壁２７を設け、音出力部２６の後側に空気室２８を設けた。そして、空気室２８の底部であって、台座４０Ｂの載置部４１に当接する筐体２１の外面である下面２１２に開口（第２の孔部の開口２９）する第２の孔部３１を設けた。
【００２２】
また、台座４０Ｂには、載置部４１の底面に一端側の開口４２Ｂを設けた。一端側の開口４２Ｂは、少なくとも一部が第２の孔部３１の開口２９と重なるように配置されている。そして、台座４０Ｂにおいて一端側の開口４２Ｂと他端側の開口４３とを連通する第１の孔部４４Ｂは、一端側の開口４２Ｂから下方に向かい、直角に曲がって載置部４１の底面４１３と平行に台座４０Ｂの後方へ延びる。
さらに、第１の孔部４４Ｂは、台座４０Ｂの背面側においてＵ字形状に１８０°方向を変えて前方へ延び、他端側の開口４３に連通する。
【００２３】
従って、音出力部２６から発せられた音は、開口部２６１から前方に発せられる。このとき、音出力部２６の後方の空気室２８に発せられる低音の音は、第２の孔部３１を通って台座４０Ｂの第１の孔部４４Ｂに導かれ、Ｕ字状に屈曲した第１の孔部４４Ｂを通って、他端側の開口４３から前方に放出される。
【００２４】
次に、第２実施形態の投影装置１０Ｂの作用効果について説明する。
筐体２１は、音出力部２６の背面側であって載置部４１に位置することになる下面２１２に開口する第２の孔部３１を有する。第２の孔部３１の開口２９は、投影装置本体２０Ｂを台座４０Ｂの載置部４１に載置した状態のときに、一端側の開口４２Ｂと少なくとも一部が重なる。
【００２５】
このため、音出力部２６の後面から後方に向かって発せられた低音域の音は、第２の孔部３１の開口２９から一端側の開口４２Ｂに入り、第１の孔部４４Ｂを通って台座４０Ｂの前方に放音される。
これにより、音出力部２６の後面から発生する低音域の音は、第１の孔部４４Ｂにおいてヘルムホルツ共鳴によって増幅されて（いわゆるバスレフ方式）、音圧の向上を図ることができる。
【００２６】
（第３実施形態）
次に、本発明に係る第３実施形態の投影装置を説明する。なお、前述した第１実施形態の投影装置１０Ａおよび第２実施形態の投影装置１０Ｂと共通する部位には同じ符号を付して、重複する説明を省略することとする。
図７および図８に示すように、第３実施形態の投影装置１０Ｃの投影装置本体２０Ｃでは、音出力部２６が筐体２１内部において下向きに発音するように設けられている。筐体２１内部における音出力部２６の下側には、Ｌ字形状の第３の孔部３２が設けられている。
【００２７】
第３の孔部３２の上端に形成されている一方の開口３３は、音出力部２６に対応する位置に形成されている。第３の孔部３２は筐体２１の下面２１２まで形成されており、第３の孔部３２の前端は、筐体２１の前面２１１に開口（他方の開口３４）している。他方の開口３４は、台座４０Ｃに形成されている第１の孔部４４Ｃの一端側の開口４２Ｃに対応する位置に形成されている。このため、投影装置本体２０Ｃを台座４０Ｃに載置した際、投影装置本体２０Ｃの他方の開口３４と台座４０Ｃの一端側の開口４２Ｃとは、少なくとも一部が重なるようになっている。
従って、音出力部２６から下方に発せられた音は、一方の開口３３から第３の孔部３２に進み、９０°前方に進路を変えて、第３の孔部３２の他方の開口３４から、台座４０Ｃの第１の孔部４４Ｃに進み、他端側の開口４３から前方に発せられる。
【００２８】
また、図９に示すように、投影装置本体２０Ｃを机面１１に横置きで載置して使用する場合には、音出力部２６から発せられた音は、第３の孔部３２に沿って前方へ発せられるとともに、他方の開口３４から上向きにも発音される。
このため、音源が投影されたスクリーン１２の映像に近づくので、音源が映像と異なる場所にあるという違和感を減ずることができる。
【００２９】
次に、第３実施形態の投影装置１０Ｃの作用効果について説明する。
筐体２１には、音出力部２６に対応する位置にある一方の開口３３と、台座４０Ｃの載置部４１に位置することになる外面に形成された他方の開口３４と、を含み、一方の開口３３と他方の開口３４は、第３の孔部３２によって連通している。
そして、投影装置本体２０Ｃを台座４０Ｃの載置部４１に載置した状態のときに、第３の孔部３２の他方の開口３４と台座４０Ｃの一端側の開口４２Ｃとは、少なくとも一部が重なる。
【００３０】
このため、音出力部２６から発せられた音は、筐体２１内の第３の孔部３２を通って、他方の開口３４と台座４０Ｃの一端側の開口４２Ｃとの重なり部分から台座４０Ｃの第１の孔部４４Ｃに入り、第１の孔部４４Ｃを通って外部に放音する。
これにより、音出力部２６から発せられた音が通過するホーン部分が長くなるので、音圧の向上を図ることができる。
なお、図６の第２実施形態における投影装置本体２０Ｂにおいても、第３実施形態と同様の構成を含むような構造にしても良い。具体的には、投影装置本体２０Ｂを載置部４１に載置した際、音出力部２６に対応する開口部２６１を所定の長さに形成し、第３の孔部を有するようにする。そして、この第３の孔部と連通する孔部を台座に形成する構成とする。このような構成にすることで、音出力部２６から発せられた音が、筐体２１内の所定の長さの開口部２６１である第３の孔部を通って、図示しない台座４０Ｂの孔部に入り、この孔部を通って外部に放音する。
【００３１】
第１実施形態及び第２実施形態において、投影装置本体２０Ａ、２０Ｂを縦置きで使用する際には、台座４０Ａ、４０Ｂに載置して使用する。この際、机面１１上のスクリーン１２に、投影部２４から投影される投影画像は、投影装置本体２０Ａ、２０Ｂを横置きで使用する場合の投影画像に対して上下反転されるので、視聴者は、投影装置１０Ａ、１０Ｂの正面側から投影画像を視聴することになる。
ゆえに、音出力部２６から放音される放音方向は、投影画像の視聴者のいる方向を向いている。つまり、音出力部２６は、筐体２１の前面２１１とほぼ平行に設けられている。しかし、音出力部２６の向きはこの向きに限らない。この音出力部２６をやや上方向を向くように筐体２１の前面２１１に対して傾斜して設置しても良い。やや上向きに設置することで、より視聴者のいる方向に向くことで更に音圧が良くなる。
本発明の投影装置は、前述した各実施形態に限定されるものでなく、適宜な変形，改良等が可能であり、そのような変形や改良を加えた発明も本発明の技術的範囲に含まれるものである。
【００３２】
以下に、この出願の願書に最初に添付した特許請求の範囲に記載した発明を付記する。付記に記載した請求項の項番は、この出願の願書に最初に添付した特許請求の範囲の通りである。
＜請求項１＞
投影部及び音出力部を有する投影装置本体と、
前記投影装置本体を載置する載置部を有し、前記載置部に形成された一端側の開口と前記載置部以外の外面に形成された他端側の開口とを連通する第１の孔部を含む台座と、
を備え、
前記投影装置本体を前記台座の前記載置部に載置した際、前記音出力部からの音が前記第１の孔部を通って前記台座の外部に放音できることを特徴とする投影装置。
＜請求項２＞
前記投影装置本体は縦置き及び横置きで使用可能であり、
前記台座の前記載置部は、前記投影装置本体を縦置きしたときに、前記投影装置本体を載置して使用するものであり、
前記音出力部は、前記投影部から投影される投影画像を視聴する視聴者と対向する位置に設けられていることを特徴とする請求項１に記載の投影装置。
＜請求項３＞
前記投影装置本体は筐体を有し、前記投影部は前記筐体内に配置されており、
前記投影装置本体を前記台座の前記載置部に載置した状態のときに、前記一端側の開口が前記音出力部と対応する位置にあり、前記第１の孔部は前記音出力部の前面側に位置することを特徴とする請求項１又は２に記載の投影装置。
＜請求項４＞
前記投影装置本体は筐体を有し、前記投影部は前記筐体内に配置されており、
前記筐体は、前記音出力部の背面側であって前記載置部に位置することになる外面に開口する第２の孔部を有し、
前記投影装置本体を前記台座の前記載置部に載置した状態のときに、前記第２の孔部の開口と前記一端側の開口とは、少なくとも一部が重なる位置にあり、前記音出力部からの音は、前記音出力部の背面側から前記第２の孔部、前記第１の孔部を通って放音されることを特徴とする請求項１又は２に記載の投影装置。
【符号の説明】
【００３３】
１０Ａ，１０Ｂ，１０Ｃ  投影装置
２０Ａ，２０Ｂ，２０Ｃ  投影装置本体
２１  筐体
２４  投影部
２６  音出力部
２９  第２の孔部の開口
３１  第２の孔部
３２  第３の孔部
３３  一方の開口
３４  他方の開口
４０Ａ，４０Ｂ，４０Ｃ  台座
４０２  前面（載置部以外の外面）
４１  載置部
４２Ａ，４２Ｂ，４２Ｃ  一端側の開口
４３  他端側の開口
４４Ａ，４４Ｂ，４４Ｃ  第１の孔部
【図１】
2016051934.tif 000003
【図２】
2016051934.tif 000004
【図３】
2016051934.tif 000005
【図４】
2016051934.tif 000006
【図５】
2016051934.tif 000007
【図６】
2016051934.tif 000008
【図７】
2016051934.tif 000009
【図８】
2016051934.tif 000010
【図９】
2016051934.tif 000011